(57)【要約】      （修正有）【課題】簡易かつ迅速に耳掛け部を調整して固定することができるマスクを提供する。【解決手段】マスク本体１と、マスク本体１の左側に位置する左側耳掛け部２と、マスク本体１の右側に位置する右側耳掛け部３とを備えたマスクＭであって、左側耳掛け部２は、一つのゴム状部材で形成され、一つのゴム状部材の一方の端部に左端部側輪２Ａを形成し、この左端部側輪２Ａの中にゴム状部材の他方の端部２Ｂを通すと共に、左端部側輪２Ａの中を通った第１のゴム状部材の部位と左端部側輪２Ａの中を通らない第１のゴム状部材の部位とを交差させて第１の輪を形成し、第１の輪の中に他方の端部２Ｂを通して引っ張って結束し、右側耳掛け部３は、一つのゴム状部材で形成され、一つの紐状部材の一方の端部に右端部側輪を形成し、この右端部側輪の中にゴム状部材の他方の端部を通すと共に、右端部側輪の中を通った第２のゴム状部材の部位と右端部側輪の中を通らない第２のゴム状部材の部位とを交差させて第２の輪を形成する。【選択図】図１
0003227237.tif 000002
【実用新案登録請求の範囲】
【請求項１】
使用者の顔面の少なくとも一部を覆うためのマスク本体と、
このマスク本体の左側に位置する左側耳掛け部と、
前記マスク本体の右側に位置する右側耳掛け部とを備えたマスクであって、
前記左側耳掛け部は、第１のゴム状部材で形成され、
前記第１のゴム状部材の一方の端部に左端部側輪を形成し、
この左端部側輪の中に前記第１のゴム状部材の他方の端部を通すと共に、前記左端部側輪の中を通った前記第１のゴム状部材の部位と前記左端部側輪の中を通らない前記第１のゴム状部材の部位とを交差させて第１の輪を形成し、この第１の輪の中に前記第１のゴム状部材の他方の端部を通して引っ張って結束し、
前記右側耳掛け部は、第２のゴム状部材で形成され、
前記第２のゴム状部材の一方の端部に右端部側輪を形成し、
この右端部側輪の中に前記第２のゴム状部材の他方の端部を通すと共に、前記右端部側輪の中を通った前記第２のゴム状部材の部位と前記右端部側輪の中を通らない前記第２のゴム状部材の部位とを交差させて第２の輪を形成し、この第２の輪の中に前記第２のゴム状部材の他方の端部を通して引っ張って結束する
ことを特徴とするマスク。
【請求項２】
使用者の顔面の少なくとも一部を覆うためのマスク本体と、
このマスク本体の左側に位置する左側耳掛け部と、
前記マスク本体の右側に位置する右側耳掛け部とを備えたマスクであって、
前記左側耳掛け部は、第１の紐状部材で形成され、
前記第１の紐状部材の一方の端部に左端部側輪を形成し、
この左端部側輪の中に前記第１の紐状部材の他方の端部を通すと共に、前記左端部側輪の中を通った前記第１の紐状部材の部位と前記左端部側輪の中を通らない前記第１の紐状部材の部位とを交差させて第１の輪を形成し、この第１の輪の中に前記第１の紐状部材の他方の端部を通して引っ張って結束し、
前記右側耳掛け部は、第２の紐状部材で形成され、
前記第２の紐状部材の一方の端部に右端部側輪を形成し、
この右端部側輪の中に前記第２の紐状部材の他方の端部を通すと共に、前記右端部側輪の中を通った前記第２の紐状部材の部位と前記右端部側輪の中を通らない前記第２の紐状部材の部位とを交差させて第２の輪を形成し、この第２の輪の中に前記第２の紐状部材の他方の端部を通して引っ張って結束する
ことを特徴とするマスク。
【考案の詳細な説明】
【技術分野】
【０００１】
本考案は、マスクに係り、特に、簡易かつ迅速に耳掛け部を調整して固定することができるマスクに関する。
【背景技術】
【０００２】
従来、紙、布、不織布等の通気性を有する通気性素材からなる長方形状のマスク本体の長辺に平行に沿って折りたたんで設けられた折り目を有し、前記長方形状のマスク本体の両短辺側に位置する前記折り目の両端部を溶着、接着、縫製等により拘束されたマスクがある(特許文献１参照)。
【先行技術文献】
【特許文献】
【０００３】
【特許文献１】特開平１１−９９２１６号公報
【考案の概要】
【考案が解決しようとする課題】
【０００４】
ところが、上記のマスクにあっては、耳掛けゴムひもの長さが一定であるため、ある人にとっては、緩かったり、きつめだったりして、装着者の装着寸法に対応できないという問題点が生じた。
【０００５】
本考案は、上記の問題点を考慮してなされたマスクを提供することにある。
【課題を解決するための手段】
【０００６】
請求項１記載のマスクは、使用者の顔面の少なくとも一部を覆うためのマスク本体と、このマスク本体の左側に位置する左側耳掛け部と、前記マスク本体の右側に位置する右側耳掛け部とを備えたマスクであって、前記左側耳掛け部は、第１のゴム状部材で形成され、前記第１のゴム状部材の一方の端部に左端部側輪を形成し、この左端部側輪の中に前記第１のゴム状部材の他方の端部を通すと共に、前記左端部側輪の中を通った前記第１のゴム状部材の部位と前記左端部側輪の中を通らない前記第１のゴム状部材の部位とを交差させて第１の輪を形成し、この第１の輪の中に前記第１のゴム状部材の他方の端部を通して引っ張って結束し、前記右側耳掛け部は、第２のゴム状部材で形成され、前記第２のゴム状部材の一方の端部に右端部側輪を形成し、この右端部側輪の中に前記第２のゴム状部材の他方の端部を通すと共に、前記右端部側輪の中を通った前記第２のゴム状部材の部位と前記右端部側輪の中を通らない前記第２のゴム状部材の部位とを交差させて第２の輪を形成し、この第２の輪の中に前記第２のゴム状部材の他方の端部を通して引っ張って結束するものである。
【０００７】
また、請求項２記載のマスクは、使用者の顔面の少なくとも一部を覆うためのマスク本体と、このマスク本体の左側に位置する左側耳掛け部と、前記マスク本体の右側に位置する右側耳掛け部とを備えたマスクであって、前記左側耳掛け部は、第１の紐状部材で形成され、前記第１の紐状部材の一方の端部に左端部側輪を形成し、この左端部側輪の中に前記第１の紐状部材の他方の端部を通すと共に、前記左端部側輪の中を通った前記第１の紐状部材の部位と前記左端部側輪の中を通らない前記第１の紐状部材の部位とを交差させて第１の輪を形成し、この第１の輪の中に前記第１の紐状部材の他方の端部を通して引っ張って結束し、前記右側耳掛け部は、第２の紐状部材で形成され、前記第２の紐状部材の一方の端部に右端部側輪を形成し、この右端部側輪の中に前記第２の紐状部材の他方の端部を通すと共に、前記右端部側輪の中を通った前記第２の紐状部材の部位と前記右端部側輪の中を通らない前記第２の紐状部材の部位とを交差させて第２の輪を形成し、この第２の輪の中に前記第２の紐状部材の他方の端部を通して引っ張って結束するものである。
【考案の効果】
【０００８】
請求項１記載のマスクによれば、第１のゴム状部材の一方の端部に左端部側輪を形成し、この左端部側輪の中に前記第１のゴム状部材の他方の端部を通すと共に、前記左端部側輪の中を通った前記第１のゴム状部材の部位と前記左端部側輪の中を通らない前記第１のゴム状部材の部位とを交差させて第１の輪を形成し、この第１の輪の中に前記第１のゴム状部材の他方の端部を通して、装着者に合った長さ調整をし、調整が決まれば、他方の端部を引っ張って簡易かつ迅速に結束することができ、第２のゴム状部材の一方の端部に右端部側輪を形成し、この右端部側輪の中に前記第２のゴム状部材の他方の端部を通すと共に、前記右端部側輪の中を通った前記第２のゴム状部材の部位と前記右端部側輪の中を通らない前記第２のゴム状部材の部位とを交差させて第２の輪を形成し、この第２の輪の中に前記第２のゴム状部材の他方の端部を通して、装着者に合った長さ調整をし、調整が決まれば、他方の端部を引っ張って簡易かつ迅速に結束することができる。
【０００９】
また、請求項２記載のマスクによれば、第１の紐状部材の一方の端部に左端部側輪を形成し、この左端部側輪の中に前記第１の紐状部材の他方の端部を通すと共に、前記左端部側輪の中を通った前記第１の紐状部材の部位と前記左端部側輪の中を通らない前記第１の紐状部材の部位とを交差させて第１の輪を形成し、この第１の輪の中に前記第１の紐状部材の他方の端部を通して、装着者に合った長さ調整をし、調整が決まれば、他方の端部を引っ張って簡易かつ迅速に結束することができ、第２の紐状部材の一方の端部に右端部側輪を形成し、この右端部側輪の中に前記第２の紐状部材の他方の端部を通すと共に、前記第２の紐状部材の他方の端部を通った前記第２の紐状部材の部位と前記右端部側輪の中を通らない前記第２の紐状部材の部位とを交差させて第２の輪を形成し、この第２の輪の中に前記第２の紐状部材の他方の端部を通して、装着者に合った長さ調整をし、調整が決まれば、他方の端部を引っ張って簡易かつ迅速に結束することができる。
【図面の簡単な説明】
【００１０】
【図１】図１は、本考案の一実施例のマスクを装着側から撮影した写真である。
【図２】図２は、図１のマスクの左側耳掛け部を中心に撮影した写真である。
【図３】図３は、図２の左端部側輪の中に第１のゴム状部材の他方の端部を通した状態を撮影した写真である。
【図４】図４は、左端部側輪の中に第１のゴム状部材の他方の端部を通すと共に、左端部側輪の中を通った前記第１のゴム状部材の部位と左端部側輪の中を通らない第１のゴム状部材の部位とを交差させた状態を撮影した写真である。
【図５】図５は、図４の第１の輪の中に他方の端部を通した状態を撮影した写真である。
【図６】図６は、図５の第１の輪の中に他方の端部を通して引っ張って結束し状態を撮影した写真である。
【考案を実施するための形態】
【００１１】
本考案の一実施例のマスクを図１乃至図６を参照して説明する。
【００１２】
図１に示すＭはマスクで、マスクＭは、使用者の顔面の少なくとも一部を覆うためのマスク本体１と、このマスク本体１の左側に位置する左側耳掛け部２と、マスク本体１の右側に位置する右側耳掛け部３とを備えている。
【００１３】
左側耳掛け部２は、第１のゴム状部材で形成され、第１のゴム状部材の一方の端部に左端部側輪２Ａを形成し（図１及び図２参照）、この左端部側輪２Ａの中に第１のゴム状部材の他方の端部２Ｂを通すと共に、左端部側輪２Ａの中を通った前記第１のゴム状部材の部位（図４記載の２Ｂと２Ｄの間）と左端部側輪２Ｂの中を通らない第１のゴム状部材の部位（図４記載の２Ｅと２Ｆの間）とを交差させて第１の輪２Ｃを形成し、この第１の輪２Ｃの中に第１のゴム状部材の他方の端部２Ｂを通して（図５参照）引っ張って結束する（図６参照）。
つまり、第１のゴム状部材の一方の端部に左端部側輪２Ａを形成し、この左端部側輪２Ａの中に第１のゴム状部材の他方の端部２Ｂを通すと共に、左端部側輪２Ａの中を通った第１のゴム状部材の部位（図４記載の２Ｂと２Ｄの間）と左端部側輪２Ａの中を通らない前記第１のゴム状部材の部位（図４記載の２Ｅと２Ｆの間）とを交差させて第１の輪２Ｃを形成し、この第１の輪２Ｃの中に前記第１のゴム状部材の他方の端部２Ｂを通して、装着者に合った長さ調整をし、調整が決まれば、第１の輪２Ｃの中の他方の端部２Ｂを引っ張って簡易かつ迅速に結束することができる。
なお、上述の実施例においては、 左端部側輪２Ａの中に第１のゴム状部材の他方の端部２Ｂを通すと共に、左端部側輪２Ａの中を通った前記第１のゴム状部材の部位（図４記載の２Ｂと２Ｄの間）と左端部側輪２Ｂの中を通らない第１のゴム状部材の部位（図４記載の２Ｅと２Ｆの間）とを交差させて第１の輪２Ｃを形成したが、
本願考案にあっては、これに限らず、左端部側輪２Ａの中に第１のゴム状部材の他方の端部２Ｂを通すと共に、左端部側輪２Ａの中を通った前記第１のゴム状部材の部位（図４記載の２Ｂと２Ｄの間）と左端部側輪２Ｂの中を通らない第１のゴム状部材の部位（図４記載の２Ｇと２Ｈの間）とを交差させて第１の輪２Ｃを形成し、この第１の輪２Ｃの中に第１のゴム状部材の他方の端部２Ｂを通して引っ張って結束するようにしても良い。これは、後述する右側耳掛け部３でも同様であり、また、ゴム状部材に限らず、伸縮自在でない紐状部材にも同様に適用できるものである。
【００１４】
右側耳掛け部３の調整は、左側耳掛け部２と同様なので、図示しないが、左側耳掛け部２と同様、右側耳掛け部３は、第２のゴム状部材で形成され、第２のゴム状部材の一方の端部に右端部側輪を形成し、この右端部側輪の中に第２のゴム状部材の他方の端部を通すと共に、前記右端部側輪の中を通った前記第２のゴム状部材の部位と前記右端部側輪を通らない第２のゴム状部材の部位とを交差させて第２の輪を形成し、この第２の輪の中に第２のゴム状部材の他方の端部を通して引っ張って結束する。
つまり、第２のゴム状部材の一方の端部に右端部側輪を形成し、この右端部側輪の中に第２のゴム状部材の他方の端部を通すと共に、前記右端部側輪の中を通った第２のゴム状部材の部位と前記右端部側輪を通らない前記第２のゴム状部材の部位とを交差させて第２の輪を形成し、この第２の輪の中に前記第２のゴム状部材の他方の端部を通して、装着者に合った長さ調整をし、調整が決まれば、第２の輪の中の他方の端部を引っ張って簡易かつ迅速に結束することができる。
【００１５】
上述した実施例においては、左側耳掛け部２、右側耳掛け部３は、伸縮自在なゴム状部材で形成したが、本願考案にあっては、これに限らず、図示しないが、左側耳掛け部２、右側耳掛け部３を伸縮自在でない紐状部材で形成しても良い。
【００１６】
この場合のマスクは、使用者の顔面の少なくとも一部を覆うためのマスク本体と、このマスク本体の左側に位置する左側耳掛け部と、前記マスク本体の右側に位置する右側耳掛け部とを備えたマスクであって、前記左側耳掛け部は、第１の紐状部材で形成され、前記第１の紐状部材の一方の端部に左端部側輪を形成し、この左端部側輪の中に前記第１の紐状部材の他方の端部を通すと共に、前記左端部側輪の中を通った前記第１の紐状部材の部位と前記左端部側輪の中を通らない前記第１の紐状部材の部位とを交差させて第１の輪を形成し、この第１の輪の中に前記第１の紐状部材の他方の端部を通して引っ張って結束し、前記右側耳掛け部は、第２の紐状部材で形成され、前記第２の紐状部材の一方の端部に右端部側輪を形成し、この右端部側輪の中に前記第２の紐状部材の他方の端部を通すと共に、前記右端部側輪の中を通った前記第２の紐状部材の部位と前記右端部側輪の中を通らない前記第２の紐状部材の部位とを交差させて第２の輪を形成し、この第２の輪の中に前記第２の紐状部材の他方の端部を通して引っ張って結束するものである。
【符号の説明】
【００１７】
Ｍ      マスク
１      マスク本体
２       左側耳掛け部
２Ａ    左端部側輪
２Ｂ    他方の端部
２Ｃ    第１の輪
３       右側耳掛け部
【図１】
0003227237.tif 000003
【図２】
0003227237.tif 000004
【図３】
0003227237.tif 000005
【図４】
0003227237.tif 000006
【図５】
0003227237.tif 000007
【図６】
0003227237.tif 000008